(57)【特許請求の範囲】
【請求項１】
伸縮門扉本体と、既設吊元門柱の伸縮門扉本体側面に取付けるアタッチメントとを備え、伸縮門扉本体は吊元側に係合部を有し、既設吊元門柱の伸縮門扉本体側面には上下方向に亘って溝が形成してあり、アタッチメントは、平板状の短尺材で既設吊元門柱の溝との間に係合部を収容する空間を形成するものであり且つ既設吊元門柱の上下方向の任意の位置に取付自在であり、係合部はアタッチメントに上方から係合することを特徴とする伸縮門扉。
【請求項２】
伸縮門扉本体と、既設吊元門柱の伸縮門扉本体側面に取付けるアタッチメントとを備え、伸縮門扉本体は吊元側に係合部を有し、アタッチメントは、伸縮門扉本体側に突設し既設吊元門柱との間に係合部を収納する空間を形成する突部を有する断面略凸形状の短尺状であり且つ既設吊元門柱の上下方向の任意の位置に取付自在であり、係合部はアタッチメントに上方から係合することを特徴とする伸縮門扉。
【発明の詳細な説明】
【技術分野】
【０００１】
本発明は、伸縮門扉に関する。
【背景技術】
【０００２】
伸縮門扉の改装において、既設門柱を残したまま新規伸縮門扉本体（以下、単に「伸縮門扉本体」という）を取付けることが従来から行われている。
かかる改装方法として、特許文献１には、既設吊元門柱を筒状の新規吊元門柱の中空に挿入して、吊元門柱を改装することが開示されている。
また、特許文献１には、既設吊元門柱の伸縮門扉本体側面にアタッチメントを取付けることが開示されている。
一方、伸縮門扉本体の吊元側に係合部を設け、吊元門柱側に伸縮門扉本体の吊元側係合部に係合する被係合部を設けて、係合部材を被係合部材に係合したり解除したりすることにより、伸縮門扉本体の吊元側を開閉自在にすることが公知である。
【先行技術文献】
【特許文献】
【０００３】
【特許文献１】特許第３８０９５３０号公報
【発明の概要】
【発明が解決しようとする課題】
【０００４】
しかし、筒状の新規吊元門柱の中空に既設吊元門柱を挿入する場合には、例えば既設吊元門柱の伸縮門扉本体と反対側の面（背面）に塀等の障害物や隣家との境界線が隣接している場合、障害物が邪魔になったり隣家との境界線から食み出るおそれがあるので、容易に改装できないという問題がある。
また、既設伸縮門扉の改装により、伸縮門扉本体の吊元側に係合部を設けたものに改装する場合、伸縮門扉本体の吊元側に設けた係合部は上下方向の所定位置に設けてあり、伸縮門扉本体の種類や大きさが異なる場合には、係合部が取付けてある位置が上下方向で異なるので、伸縮門扉本体の種類や大きさが異なる毎に、異なる種類のアタッチメントを用意しなければならない。この為、アタッチメントの種類が多く必要になるという不都合がある。
【０００５】
そこで、本発明は、既設吊元門柱に塀等の障害物や隣家との境界線が隣接している場合でも改装が容易にでき、吊元側に係合部を設けた伸縮門扉本体に改装する場合に、伸縮門扉本体の吊元側に設けた係合部の位置が上下方向で異なる場合でも同種のアタッチメントを使用できる伸縮門扉の提供を目的とする。
【課題を解決するための手段】
【０００６】
請求項１に記載の発明は、既設吊元門柱の伸縮門扉本体側面に取付けるアタッチメントとを備え、伸縮門扉本体は吊元側に係合部を有し、既設吊元門柱の伸縮門扉本体側面には上下方向に亘って溝が形成してあり、アタッチメントは、平板状の短尺材で既設吊元門柱の溝との間に係合部を収容する空間を形成するものであり且つ既設吊元門柱の上下方向の任意の位置に取付自在であり、係合部はアタッチメントに上方から係合することを特徴とする。
【０００７】
請求項２に記載の発明は、伸縮門扉本体と、既設吊元門柱の伸縮門扉本体側面に取付けるアタッチメントとを備え、伸縮門扉本体は吊元側に係合部を有し、アタッチメントは、伸縮門扉本体側に突設し既設吊元門柱との間に係合部を収納する空間を形成する突部を有する断面略凸形状の短尺状であり且つ既設吊元門柱の上下方向の任意の位置に取付自在であり、係合部はアタッチメントに上方から係合することを特徴とする。
【発明の効果】
【０００８】
請求項１に記載の発明によれば、アタッチメントは既設吊元門柱の伸縮門扉本体側面に設けてあるので、既設吊元門柱に塀等の障害物や隣家との境界線が隣接している場合でもこれらが邪魔にならずに改装が容易にできる。
伸縮門扉本体の吊元側に設けた係合部に係合するアタッチメントは、既設吊元門柱の上下方向の任意の位置に取付自在であるから、吊元側に上から係合する係合部を有する伸縮門扉本体の種類やサイズが異なる為に係合部の上下位置が異なる場合でも、係合部の位置に合わせてアタッチメントの上下位置を調整して既設吊元門柱に固定できるので、同種のアタッチメントを用いることができる。
アタッチメントは、短尺材であるから、例えば、既設吊元門柱の伸縮門扉本体側面の略全面を覆うような縦長のものに比較して、少ない量の材料で製造できると共に小型で扱い易い。
【０００９】
請求項２に記載の発明によれば、請求項１に記載の効果を奏すると共に、アタッチメントは伸縮門扉本体側に突設し既設吊元門柱との間に空間を形成して係合部を収容する突部を有する断面略凸形状であるから、既設門柱の伸縮側面が平坦である場合でも、伸縮門扉本体吊元側の係合部が係合する為の空間を確保することができる。従って、既設伸縮門扉の伸縮門扉が吊元側を開閉自在でないタイプの伸縮門扉であった場合でも、既設吊元門柱ではアタッチメントを取付けるだけで、吊元側を開閉自在なタイプに改装することができる。
【図面の簡単な説明】
【００１０】
【図１】第１実施の形態に係る伸縮門扉の吊元門柱を示す図であり、（ａ）は伸縮門扉本体側から見た側面図、（ｂ）は家側から見た正面図、（ｃ）は（ａ）に示すＢ―Ｂ断面図である。
【図２】第１実施の形態に係る伸縮門扉の戸先門柱を示す図であり、（ａ）は伸縮門扉本体側から見た側面図、（ｂ）は家側から見た正面図、（ｃ）は（ａ）に示すＡ１―Ａ１断面図、（ｂ）は（ａ）に示すＡ２―Ａ２断面図、（ｅ）は（ａ）に示すＡ３―Ａ３断面図である。
【図３】（ａ）は図４に示す伸縮門扉の水平断面図であり、（ｂ）は（ａ）に示す戸先側錠を抜き出して示す平面図である。
【図４】（ａ）は第１実施の形態に係る伸縮門扉を道路側から見た正面図であり、（ｂ）は本実施の形態に係る伸縮門扉の平面図である。
【図５】第２実施の形態に係る伸縮門扉の吊元門柱を示す図であり、（ａ）は伸縮門扉本体側から見た側面図、（ｂ）は道路側から見た正面図、（ｃ）は（ａ）に示すＣ―Ｃ断面図である。
【図６】第２実施の形態に係る伸縮門扉の水平断面図である。
【発明を実施するための形態】
【００１１】
以下に、添付図面の図１〜図４を参照して本発明の実施の形態を説明する。図４に示すように、本実施の形態に係る伸縮門扉１は、戸先門柱３と、吊元門柱５と、伸縮門扉本体７とを備えている。伸縮門扉本体７はその吊元框７ａが吊元門柱５にヒンジ９ａ、９ｂにより連結してあり、図４（ｂ）に二点鎖線で示すように、伸縮門扉本体７を吊元側に縮めた状態で家側に回動できるようになっている。
尚、本実施の形態では、既設伸縮門扉は伸縮門扉本体の吊元側部を吊元門柱に固定した形式の門であるが、改装後の伸縮門扉は既設吊元門柱にヒンジ９ａ、９ｂを設けて伸縮門扉本体７を縮めた状態で吊元門柱５に対して回動できる形式の伸縮門扉に改装している。
【００１２】
図１に示すように、吊元門柱５は既設吊元門柱６の伸縮門扉本体側面６ａに吊元門柱用アタッチメント２５が取り付けてある。吊元門柱用アタッチメント２５は、既設吊元門柱６の上下方向の任意の位置に取付け自在であり、伸縮門扉本体７の吊元側錠（係合部）３１の位置に対応して上ヒンジ９ａと下ヒンジ９ｂとの間の位置に取付けられている。
この吊元門柱用アタッチメント２５は、既設吊元門柱６の見付け面６ｂ、６ｃにねじ２３により固定されているが、本実施の形態では、吊元門柱用アタッチメント２５は、既設吊元門柱６に設けてあるヒンジ９ａ、９ｂ用取付け溝２４内に配置した裏板にねじ２３を螺合して固定している。
吊元門柱用アタッチメント２５は、その見込み方向中央部に伸縮門扉本体７側に突設して既設吊元門柱６との間に空間３０を形成して伸縮門扉本体７の吊元側錠（係合部）３１を収容する断面略凸形状であり、伸縮門扉本体７の吊元側錠３１と係合するようになっている。
被係合部２７は、伸縮門扉本体７側に突設して既設吊元門柱６との間に吊元側錠３１が係合する空間を形成している。この被係合部２７は伸縮門扉本体側面の上端２７ａが見付け面の上端２５ａよりも低い位置にあり、伸縮門扉本体側面の上端２７ａに吊元側錠３１が上から係合するようになっている。
【００１３】
図２及び図３に示すように、戸先門柱３には既設戸先門柱２の伸縮門扉本体側面２ａに戸先門柱用アタッチメント１１が取り付けてある。戸先門柱用アタッチメント１１は、既設戸先門柱２の伸縮門扉本体側面２ａにその見込み巾と略同じ巾で、既設戸先門柱２の上下方向において上端２ｂから下端を少し残して、略全面に亘って取付けてある。
図２に示すように、戸先門柱用アタッチメント１１は、見込方向の中央部に横断面が略Ｃ字状を成す溝部１２（図２（ａ）（ｅ）参照）と、溝部１２を挟む見込方向の両側で伸縮門扉本体側に突設した中空部１３ａ、１３ｂとを有し、溝部１２には伸縮門扉本体の戸先側錠１７と係合する係合部材１５が固定されている。
溝部１２は戸先門柱用アタッチメント１１の上下に亘って設けてあり且つ伸縮門扉本体７側が開口してあり、左右の開口部１２ａ、１２ｂにより開口を狭めて横断面略Ｃ状を成している。溝部１２には係合部材１５が溝部１２に沿って移動自在に設けてある。
【００１４】
図２（ｄ）に示すように、係合部材１５は、内側係合部１５ａと外側係合部１５ｂとを有し、内側係合部１５ａを溝内に配置して、内側係合部１５ａと外側係合部１５ｂとで開口部１２ａ、１２ｂを挟み、リベットで固定している。係合部材１５において、開口部１２ａ、１２ｂ間には開口１９が形成されており、この開口１９から溝部１２内に伸縮門扉本体の戸先錠１７が挿脱し、開口１９から挿入した伸縮門扉本体の戸先錠１７が左右に広がることにより（図３（ｂ）参照）被係合部１５に係合するようになっている。
中空部１３ａ、１３ｂは、戸先門柱用アタッチメント１１の各々上下方向に亘って設けてあり、その上部と下部とでねじ２３により、戸先門柱用アタッチメント１１を既設戸先門柱２に固定している。中空部１３ａ、１３ｂは、伸縮門扉本体７側に突設して設けており、各中空部１３ａ、１３ｂの伸縮門扉本体側面（先端面）１４は、係合部材１５の伸縮門扉本体側面１６と略同じ位置にあり、伸縮門扉本体７を勢いよく閉じた場合等に、伸縮門扉本体７の戸先框が当接して中空部１３ａ、１３ｂが衝撃を緩衝するようになっている。
尚、戸先門柱用アタッチメント１１は、図２（ａ）に示すように、左右の中空部１３ａ、１３ｂの上部と下部、及び溝部１２の溝底１２ｃの上部と下部とで、ねじ２３により既設門柱２に固定されている。
【００１５】
次に、伸縮門扉本体７について説明する。伸縮門扉本体７の吊元框７ａは、図３（ａ）に示すように、ヒンジ９ａ、９ｂにより回動自在に連結してあると共に、上下に回動する吊元側錠（カマ）３１により吊元門柱用アタッチメント２５の被係合部２７に上から係合するようになっている。
図３（ａ）に示すように、伸縮門扉本体７の戸先框７ｂには戸先側錠１７が設けてある。この戸先側錠１７は、図３（ｂ）に示すように、２つの係合片１７ａ、１７ｂからなり、２つの係合片１７ａ、１７ｂは上から見たときに基端側が左右に交差して設けてあり、係合片１７ａ、１７ｂの先端が左右に広がったり、狭まったりするようになっている。係合部１７が係合部材１５に係合した状態では係合片１７ａ、１７ｂの先端が左右に広がった状態になっている。そして、係合を外す場合には、図３（ｂ）に矢印Ｅに示すように、係合片１７ａ、１７ｂの先端が左右に狭めるように移動する。
また、図３（ａ）に示すように、本実施の形態では、伸縮門扉本体７を閉じたときに、既設戸先門柱２の見付け面２ｃとアタッチメント１１の見付け面１１ｃと伸縮門扉本体７の戸先框７ｂの見付面７ｅとが略同一平面に位置するようにしてある。
【００１６】
次に、本実施の形態による伸縮門扉１の改装作業、作用効果について説明する。伸縮門扉１を改装するときには、まず、図１に示すように既設吊元門柱６に吊元門柱用アタッチメント２５を取り付け、図２に示すように既設戸先門柱２に戸先門柱用アタッチメント１１を取り付ける。
吊元門柱用アタッチメント２５の取付けは、図１に示すように、既設吊元門柱６の伸縮門扉本体側面６ａに配置して、伸縮門扉本体７の吊元側錠３１の位置に合うように上下位置を調整した後、既設吊元門柱６の見付け面６ｂ、６ｃにねじ２３で固定する。尚、既設吊元門柱６には、吊元門柱用アタッチメント２５を取り付ける前又は取り付けた後に、伸縮門扉本体７の吊元框７ａと既設吊元門柱６とをヒンジ９ａ、９ｂで連結する。
戸先門柱用アタッチメント１１の取り付けは、図２に示すように、既設戸先門柱２の伸縮門扉本体側面２ａの略全面に戸先門柱用アタッチメント１１を配置して、中空部１３ａ、１３ｂの上部と下部及び溝部１２の溝底１２ｃを各々ねじ２３で既設戸先門柱２の伸縮門扉本体側面２ａに固定する。
本実施の形態において、伸縮門扉本体を開閉するとき（伸縮するとき）には、伸縮門扉本体の吊元側錠３１を吊元門柱５の吊元門柱用アタッチメント２５に係合する。伸縮門扉本体７を縮めた状態で伸縮門扉本体７を家側に回動する場合には、吊元側錠１３の係合を外す。
【００１７】
第１実施の形態によれば、伸縮門扉本体７の吊元側錠３１に係合する吊元門柱用アタッチメント２５は、既設吊元門柱６の上下方向の任意の位置に取付自在であるから、吊元側錠３１有する伸縮門扉本体の種類やサイズが異なる為に係合部の上下位置が異なる場合でも、吊元側錠３１の位置に合わせて吊元門柱用アタッチメント２５の上下位置を調整して既設吊元門柱６に固定できるので、同種のアタッチメントを用いることができる。
吊元門柱用アタッチメント２５は、短尺材であるから、既設吊元門柱６の伸縮門扉本体側面６ａの略全面を覆うような長尺のものに比較して、少ない量の材料で製造できると共に小型で扱い易い。
吊元門柱用アタッチメント２５に伸縮門扉本体７側に突設する被係合部（突部）２７を設けているので、既設吊元門柱６の伸縮側面が平坦である場合でも、伸縮門扉本体吊元側の係合部３１が係合する為の空間を確保することができる。従って、既設伸縮門扉の伸縮門扉本体が吊元側を開閉自在でないタイプの伸縮門扉であった場合でも、既設吊元門柱６に吊元門柱用アタッチメント２５を取付けるだけで、吊元側を開閉自在なタイプに改装することができる。
図１（ｂ）に示すように、吊元門柱用アタッチメント２５の被係合部（突部）２７は、伸縮門扉本体側面の上端２７ａを見付け面の上端２５ａよりも低くしているの、被係合部２７の伸縮門扉本体側面に伸縮門扉本体吊元側の係合部３１が上から係合したときに、被係合部２７と既設吊元門柱６との間では係合部３１の上部が見付け面により隠されて道路側や家側から見え難くなるので、外観が良い。
吊元門柱用アタッチメント２５は、吊元門柱用アタッチメント２５は、既設吊元門柱６に設けてあるヒンジ９ａ、９ｂ用取付け溝２４内に配置した裏板にねじ２３を螺合して固定しているので、既設吊元門柱６のヒンジ９ａ、９ｂ用取付け溝２４を利用して吊元門柱用アタッチメント２５を固定でき、吊元門柱用アタッチメント２５を固定する為の穴開けが不要である。
吊元門柱用アタッチメント２５はヒンジ９ａ、９ｂ間に設けているのでヒンジ９ａ、９ｂが邪魔にならずに取り付けできる。
また、本実施の形態では、伸縮門扉本体７を縮めた状態で伸縮門扉本体７を家側に回動できるように吊元門柱５と伸縮門扉本体７とをヒンジ９ａ、９ｂで連結しているが、伸縮門扉本体７の吊元側に吊元側錠３１を設けて吊元門柱用アタッチメント２５に係合してあるから、伸縮門扉本体の開閉時（伸縮時）における伸縮門扉本体７のふらつきを防止できる。
【００１８】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。
図５及び６を参照して第２実施の形態を説明する。この第２実施の形態に係る伸縮門扉１は、２つの伸縮門扉本体７を左右の吊元門柱に取り付けて左右の伸縮門扉本体７、７で開閉する両開き門であり、図６に示すように、左右に配置した吊元門柱５、５に各伸縮門扉本体７の吊元側部７ａを第１実施の形態と同様にヒンジ９ａ、９ｂで連結している。尚、第２実施の形態における既設伸縮門扉は両開き門であると共に伸縮門扉本体の吊元側も開閉できるようになっていたものである。この為、各既設吊元門柱６の伸縮門扉本体側面６ａには、既設伸縮門扉本体の吊元側錠に係合する為の上下の溝３５が形成されている。
各吊元門柱５、５は、既設吊元門柱６、６の伸縮門扉本体側面６ａに吊元門柱用アタッチメント３３を取り付けている。吊元門柱用アタッチメント３３は帯状の平板であり、既設吊元門柱６の伸縮門扉本体側面６ａの巾方向に亘って設けてある。吊元門柱用アタッチメント３３は既設吊元門柱６の伸縮門扉本体側面６ａに設けてある溝３５の開口を横断して設けてあり、吊元門柱用アタッチメント３３と既設吊元門柱６との間に空間３０を形成している。これにより、伸縮門扉本体７の吊元錠３１は吊元門柱用アタッチメント３３に上から係合する。
【００１９】
この第２実施の形態によれば、上述の第１実施の形態における吊元門柱５の場合と同様の作用効果を得ることができると共に、吊元門柱用アタッチメント３３は、第１実施の形態のような伸縮門扉本体側に突設した被係合部を形成することなく平板状にできるので、製造し易い。
吊元門柱用アタッチメント３３は、第１実施の形態のような伸縮門扉本体側に突設した被係合部２７を形成することなく平板状にしているので、吊元門柱５、５間の間隔を広く取ることができる。
また、吊元門柱用アタッチメント３３は既設吊元門柱６の伸縮門扉本体側面６ａ側にねじ２３で固定してあるから、吊元門柱用アタッチメント３３の取り付けが伸縮門扉本体側のみから行うことができ、施工し易い。
吊元門柱５には、その見付け面に吊元門柱用アタッチメントの固定ねじ２３がないから意匠性が良い。
【００２０】
本発明は、上述した実施の形態に限らず、本発明の要旨を逸脱しない範囲で種々変形可能である。
例えば、第２実施の形態において、第１実施の形態に用いた吊元門柱用アタッチメント２５を吊元門柱用アタッチメント３３に替えて用いても良い。
第１及び第２実施の形態において、ヒンジ９ａ、９ｂを設けないで、伸縮門扉本体７の吊元側も吊元側錠３１を係脱することにより、伸縮門扉本体７の吊元側を開閉可能にしても良い。
【符号の説明】
【００２１】
１        伸縮門扉
５        吊元門柱
６        既設吊元門柱
６ａ      伸縮門扉本体側面
７        伸縮門扉本体
２５、３３  吊元門柱用アタッチメント
２５ａ    見付け面の上端
２７      被係合部（突部）  
２７ａ    伸縮門扉本体側面の上端
３１      吊元側錠（係合部）
【図１】
0005593063.tif 000002
【図２】
0005593063.tif 000003
【図３】
0005593063.tif 000004
【図４】
0005593063.tif 000005
【図５】
0005593063.tif 000006
【図６】
0005593063.tif 000007